(57)【要約】【課題】多様な広告収益を創出することができる広告サービスシステム及び方法を提供する。【解決手段】本発明に係る広告サービスシステムは、ユーザ登録されたパブリッシャのオンライン接続を許容し、当該パブリッシャが自己の広告リソースに対する広告の実施及び管理運営を行うことができるように広告アプリケーションサービスを提供する広告アプリケーションサービス提供モジュールと、広告アプリケーションサービス提供モジュールによって広告の実施及び管理運営がなされるパブリッシャの広告リソースの少なくとも一部に対して、パブリッシャと広告主または広告代理店との間の取引を可能にする開放された取引サービスを提供する開放された取引サービス提供モジュールと、広告アプリケーションサービス提供モジュールによって実施された広告リソースに対するレポートを、パブリッシャ及び広告主または広告代理店に提供する広告レポートモジュールとを含む。【選択図】図２
2012079310.tif 000002
【特許請求の範囲】
【請求項１】
ユーザ登録されたパブリッシャのオンライン接続を許容し、当該パブリッシャが自己の広告リソースに対する広告の実施及び管理運営を行うことができるように広告アプリケーションサービスを提供する広告アプリケーションサービス提供モジュールと、
前記広告アプリケーションサービス提供モジュールによって広告の実施及び管理運営がなされる前記パブリッシャの広告リソースの少なくとも一部に対して、前記パブリッシャと広告主または広告代理店との間の取引を可能にする開放された取引サービスを提供する開放された取引サービス提供モジュールと、
前記広告アプリケーションサービス提供モジュールによって実施された広告リソースに対するレポートを、前記パブリッシャ及び前記広告主または前記広告代理店に提供する広告レポートモジュールと、を含むことを特徴とする広告サービスシステム。
【請求項２】
前記開放された取引サービス提供モジュールは、
前記広告主または前記広告代理店に対して、前記パブリッシャの広告リソースでなく、前記開放された取引サービス提供モジュールによって自律的に広告の実施及び管理運営がなされる第２の広告リソースの取引をさらに行うことを特徴とする請求項１に記載の広告サービスシステム。
【請求項３】
前記開放された取引サービス提供モジュールは、
前記広告主または前記広告代理店に対して、前記パブリッシャの広告リソースのうち前記パブリッシャから広告の実施及び管理運営が委託された第３の広告リソースの取引をさらに行うことを特徴とする請求項１に記載の広告サービスシステム。
【請求項４】
前記パブリッシャが自己の広告リソースに対する広告の実施及び管理運営を行うことにより発生したトラフィック量に応じて、前記広告アプリケーションサービス提供モジュールの利用料金を算定する課金処理モジュールをさらに含むことを特徴とする請求項１から請求項３のいずれか一つに記載の広告サービスシステム。
【請求項５】
前記広告アプリケーションサービス提供モジュールは、
無料広告リソースまたは有料広告リソースの実施を可能にすることを特徴とする請求項１から請求項４のいずれか一つに記載の広告サービスシステム。
【請求項６】
前記有料広告リソースの実施の割合が一定の割合以上である場合、前記パブリッシャに対して前記広告アプリケーションサービス提供モジュールの無料利用を許容する課金処理モジュールをさらに含むことを特徴とする請求項５に記載の広告サービスシステム。
【請求項７】
前記有料広告リソースの実施による収益の一定の割合を前記広告アプリケーションモジュールの利用料金として算定する課金処理モジュールをさらに含むことを特徴とする請求項５に記載の広告サービスシステム。
【請求項８】
ユーザ登録されたパブリッシャのオンライン接続を許容し、当該パブリッシャが広告アプリケーションサービス提供モジュールを利用して自己の広告リソースに対する実施及び管理運営を行うことができるように広告アプリケーションサービスを提供し、
前記広告アプリケーションサービス提供モジュールによって広告の実施及び管理運営がなされる前記パブリッシャの広告リソースの少なくとも一部に対して、前記パブリッシャと広告主または広告代理店の間の取引を可能にする開放された取引サービスを提供し、
前記広告アプリケーションサービス提供モジュールによって実施された広告リソースに対するレポートを前記パブリッシャ及び前記広告主または前記広告代理店に提供すること、を含むことを特徴とする広告サービス方法。
【請求項９】
前記開放された取引サービスを提供することは、
前記広告主または前記広告代理店に対して、前記パブリッシャの広告リソースでなく、前記開放された取引サービス提供モジュールによって自律的に広告の実施及び管理運営がなされる第２の広告リソースの取引をさらに行うことを特徴とする請求項８に記載の広告サービス方法。
【請求項１０】
前記開放された取引サービスを提供することは、
前記広告主または前記広告代理店に対して、前記パブリッシャの広告リソースのうち前記パブリッシャから広告の実施及び管理運営が委託された第３の広告リソースの取引をさらに行うことを特徴とする請求項８に記載の広告サービス方法。
【請求項１１】
前記パブリッシャが自己の広告リソースに対する広告の実施及び管理運営を行うことにより発生したトラフィック量に応じて、前記広告アプリケーションサービス提供モジュールの利用料金を算定するように課金処理することをさらに含むことを特徴とする請求項８から請求項１０のいずれか一つに記載の広告サービス方法。
【請求項１２】
前記広告アプリケーションサービスを提供することは、
前記広告アプリケーションサービス提供モジュールによって無料広告リソースまたは有料広告リソースの実施ができるようにすることを特徴とする請求項８から請求項１１のいずれか一つに記載の広告サービス方法。
【請求項１３】
前記有料広告リソースの実施の割合が一定の割合以上である場合、前記パブリッシャに対して前記広告アプリケーションサービス提供モジュールの無料利用を許容するように課金処理することをさらに含むことを特徴とする請求項１２に記載の広告サービス方法。
【請求項１４】
前記有料広告リソースの実施による収益の一定の割合を前記広告アプリケーションモジュールの利用料金として算定するように課金処理することをさらに含むことを特徴とする請求項１２に記載の広告サービス方法。
【請求項１５】
少なくとも一つのコンピュータ構成要素を介して実行可能であり、通信網を利用した広告サービスシステムの広告サービスを行うためのプログラム命令語を含むコンピュータプログラムを記録したコンピュータ読み取り可能な記録媒体であって、前記実行により、
ユーザ登録されたパブリッシャのオンライン接続を許容し、当該パブリッシャが広告アプリケーションサービス提供モジュールを利用して自己の広告リソースに対する広告の実施及び管理運営を行うことができるように広告アプリケーションサービスを提供し、
前記広告アプリケーションサービス提供モジュールによって広告の実施及び管理運営がなされる前記パブリッシャの広告リソースの少なくとも一部に対して、前記パブリッシャと広告主または広告代理店の間の取引を可能にする開放された取引サービスを提供し、
前記広告アプリケーションサービス提供モジュールによって実施された広告リソースに対するレポートを前記パブリッシャ及び前記広告主または前記広告代理店に提供すること、を含む広告サービス方法を遂行することができるようにすることを特徴とするコンピュータ読み取り可能な記録媒体。
【請求項１６】
前記開放された取引サービスを提供することは、
前記広告主または前記広告代理店に対して、前記パブリッシャの広告リソースでなく、前記開放された取引サービス提供モジュールによって自律的に広告の実施及び管理運営がなされる第２の広告リソースの取引をさらに行うことを特徴とする請求項１５に記載のコンピュータ読み取り可能な記録媒体。
【請求項１７】
前記開放された取引サービスを提供することは、
前記広告主または前記広告代理店に対して、前記パブリッシャの広告リソースのうち前記パブリッシャから広告の実施及び管理運営が委託された第３の広告リソースの取引をさらに行うことを特徴とする請求項１５に記載のコンピュータ読み取り可能な記録媒体。
【請求項１８】
前記実行により、
前記パブリッシャが自己の広告リソースに対する広告の実施及び管理運営を行うことにより発生したトラフィック量に応じて、前記広告アプリケーションサービス提供モジュールの利用料金を算定するように課金処理することをさらに遂行することを特徴とする請求項１５から１７のいずれか一つに記載のコンピュータ読み取り可能な記録媒体。
【請求項１９】
前記広告アプリケーションサービスを提供することは、
前記広告アプリケーションサービス提供モジュールによって無料広告リソースまたは有料広告リソースの実施ができるようにすることを特徴とする請求項１５から請求項１８のいずれか一つに記載のコンピュータ読み取り可能な記録媒体。
【請求項２０】
前記有料広告リソースの実施の割合が一定の割合以上である場合、前記パブリッシャに対して前記広告アプリケーションサービス提供モジュールの無料利用を許容するように課金処理することをさらに遂行することを特徴とする請求項１９に記載のコンピュータ読み取り可能な記録媒体。
【発明の詳細な説明】
【技術分野】
【０００１】
本発明は、広告サービスシステム及びその方法に関し、より詳しくは、広告アプリケーションサービス提供モジュール（Ａｄｖｅｒｔｉｓｅｍｅｎｔ  Ａｐｐｌｉｃａｔｉｏｎ  Ｓｅｒｖｉｃｅ  Ｐｒｏｖｉｄｉｎｇ  ｍｏｄｕｌｅ（Ｐｒｏｖｉｄｅｒ））を利用してパブリッシャ（Ｐｕｂｌｉｓｈｅｒ）がオンライン上で自己の広告リソースに対する広告の実施及び管理運営を行うことができるようにし、広告アプリケーションサービス提供モジュールにより広告の実施及び管理運営がなされるパブリッシャの広告リソースの少なくとも一部に対して、パブリッシャと広告主、広告代理店、広告製作者との間の取引を可能にする開放された取引サービスを提供することにより、多様な広告収益を創出することができる広告サービスシステム及びその方法に関する。
【背景技術】
【０００２】
最近、インターネットの使用が恒常化されるにつれて、ユーザはインターネットを利用して多様な情報を取得できるようになった。即ち、ユーザは、インターネットへのアクセスが可能なパソコンなどの端末装置を介してインターネット検索サイト又はポータルサイトを経由したり、または情報を掲載しているサイトのアドレスを直接入力したりする方法により、ユーザが所望する各種コンテンツにアクセスできるようになった。
【０００３】
一方、インターネットを利用して自己の所望するコンテンツを検索するユーザが増えるにつれて、コンテンツ保有企業（以下、「パブリッシャ」または「コンテンツ所有者」という。）は、ユーザに提供されるウェブページを介して、コンテンツにアクセスするユーザを対象として広告を提供し、収益を得ようとしている。しかし、いまだに多数のユーザは、コンテンツ所有者が提供するウェブページを直接検索してアクセスする方式よりも、認知度が高くよく使用されているインターネット検索サイト又はポータルサイト（以下「コンテンツ仲介者」という。）にアクセスする方式を利用する割合が高い。そのため、広告主にとって、コンテンツを所有しているパブリッシャまたはコンテンツ所有者のウェブページは広告効果が劣っており、あまり魅力的でないと認識されており、むしろ多様なユーザが集中してアクセスするコンテンツ仲介者に対する広告の需要の方がより高い状態である。
【０００４】
従って、幅広いユーザ層に対して高い認知度を有する一部のコンテンツ仲介者から、検索を介して又は検索と関係なく、コンテンツ所有者のコンテンツを露出させるサービスが提供されることにより、ユーザがコンテンツ仲介者を介してコンテンツ所有者にアクセスする場合が増加した。しかし、まだパブリッシャまたはコンテンツ所有者の媒体力又は営業力が低いため、自己の所有する広告リソース（オンラインで提供されるウェブページの広告領域）を直接的に広告売上に繋げることのできないパブリッシャまたはコンテンツ所有者が多く、高い認知度によって高い広告収益を得ることができるコンテンツ仲介者の媒体力及び営業力が適切に利用されていない状態である。
【０００５】
さらに、このようなパブリッシャまたはコンテンツ所有者の一部は、広告収入を上げるために、コンテンツ所有者又は当該コンテンツとは全く関係のない広告を無理に掲載しているため（例えば、時事／経済ニュースコンテンツにアダルト広告を掲載する場合）、ユーザからさらに避けられており、その結果、広告収入の減少をもたらすだけでなく、当該コンテンツを露出させるコンテンツ仲介者に対する信頼も低下するという問題までもたらしている状態である。
【０００６】
一方、認知度が高くよく使用されているインターネット検索サイトまたはポータルサイト（コンテンツ仲介者）は、一般的に高価なインターネット設備、多くの顧客、長期間にわたって蓄積された広告運営及び管理のノウハウを有し、より向上された広告システムを運営している。これに比べ、パブリッシャまたはコンテンツ所有者は、インターネット設備、顧客の数、広告運営のノウハウ面において劣っている状況である。また、パブリッシャまたはコンテンツ所有者は、自己が提供できるコンテンツの他に、広告を利用した収益を期待している。しかし、自己が所有及び管理している広告リソースに対するユーザのアクセスが少ないため、自己の広告リソースを充分にサポートすることができるにも関わらず、これら広告リソースを広告収益に転換させることが困難である。
【０００７】
一方、広告主、広告代理店、広告製作者は、それぞれのやり方で広告を利用してその事業領域を広げようとする。従って、広告主、広告代理店、広告製作者、パブリッシャがそれぞれ有している事業の目的を満たすことができる広告サービスシステムが必要である。
【先行技術文献】
【特許文献】
【０００８】
【特許文献１】韓国公開特許第２０００−００７２４６０号公報
【特許文献２】韓国公開特許第２００２−００４１９９５号公報
【特許文献３】韓国登録特許第１０−０７４４０６３号公報
【発明の概要】
【発明が解決しようとする課題】
【０００９】
本発明が解決しようとする課題は、パブリッシャがオンライン上で自己の広告リソースに対する広告の実施及び管理運営を行うことができるようにし、広告アプリケーションサービス提供モジュールにより広告の実施及び管理運営がなされるパブリッシャの広告リソースの少なくとも一部に対して、パブリッシャと広告主、広告代理店、広告製作者との間の取引を可能にすることにより、多様な広告収益を創出することができる広告サービスシステム及びその方法を提供することにある。
【課題を解決するための手段】
【００１０】
本発明の一実施例によると、ユーザ登録されたパブリッシャのオンライン接続を許容し、当該パブリッシャが自己の広告リソースに対する広告の実施及び管理運営を行うことができるように広告アプリケーションサービスを提供する広告アプリケーションサービス提供モジュールと、広告アプリケーションサービス提供モジュールによって広告の実施及び管理運営がなされるパブリッシャの広告リソースの少なくとも一部に対して、パブリッシャと広告主または広告代理店との間の取引を可能にする開放された取引サービスを提供する開放された取引サービス提供モジュールと、広告アプリケーションサービス提供モジュールによって実施された広告リソースに対するレポートを、パブリッシャ及び広告主または広告代理店に提供する広告レポートモジュールと、を含む広告サービスシステムが提供される。
【００１１】
開放された取引サービス提供モジュールは、広告主または広告代理店に対して、パブリッシャの広告リソースでなく、開放された取引サービス提供モジュールによって自律的に広告の実施及び管理運営がなされる第２の広告リソースの取引をさらに行ってもよい。
【００１２】
開放された取引サービス提供モジュールは、広告主または広告代理店に対して、パブリッシャの広告リソースのうちパブリッシャから広告実施及び管理運営の委託を受けた第３の広告リソースの取引をさらに行ってもよい。
【００１３】
好ましくは、広告サービスシステムは、パブリッシャが自己の広告リソースに対する広告の実施及び管理運営を行うことにより発生したトラフィック量に応じて、広告アプリケーションサービス提供モジュールの利用料金を算定する課金処理モジュールをさらに含んでもよい。
【００１４】
広告アプリケーションサービス提供モジュールは、無料広告リソースまたは有料広告リソースの広告の実施を可能にするものでもよい。
【００１５】
広告サービスシステムは、有料広告リソースの広告実施の割合が一定の割合以上である場合、パブリッシャに対して広告アプリケーションサービス提供モジュールの無料利用を許容してもよい。
【００１６】
広告サービスシステムは、有料広告リソースの広告の実施による収益の一定の割合を広告アプリケーションモジュールの利用料金として算定してもよい。
【００１７】
本発明の他の実施例によると、ユーザ登録されたパブリッシャのオンライン接続を許容し、当該パブリッシャが広告アプリケーションサービス提供モジュールを利用することにより自己の広告リソースに対する実施及び管理運営を行うことができるように広告アプリケーションサービスを提供し、広告アプリケーションサービス提供モジュールによって実施及び管理運営されるパブリッシャの広告リソースの少なくとも一部に対して、パブリッシャと広告主または広告代理店との間の取引を可能にする開放された取引サービスを提供し、広告アプリケーションサービス提供モジュールによって実施された広告リソースに対するレポートをパブリッシャ及び広告主または広告代理店に提供すること、を含む広告サービス方法が提供される。
【００１８】
開放された取引サービスを提供することは、広告主または広告代理店に対して、パブリッシャの広告リソースでなく、開放された取引サービス提供モジュールによって自律的に実施及び管理運営される第２の広告リソースの取引をさらに行ってもよい。
【００１９】
開放された取引サービスを提供することは、広告主または広告代理店に対して、パブリッシャの広告リソースのうちパブリッシャから実施及び管理運営の委託を受けた第３の広告リソースの取引をさらに行ってもよい。
【００２０】
広告サービス方法は、パブリッシャが自己の広告リソースに対する実施及び管理運営を行うことにより発生したトラフィック量に応じて、広告アプリケーションサービス提供モジュールの利用料金を算定するように課金処理することをさらに含んでもよい。
【００２１】
好ましくは、広告アプリケーションサービスを提供することは、広告アプリケーションサービス提供モジュールによって無料広告リソースまたは有料広告リソースの実施ができるようにするものでもよい。
【００２２】
広告サービス方法は、有料広告リソースの実施の割合が一定の割合以上である場合、パブリッシャに対して広告アプリケーションサービス提供モジュールの無料利用を許容するように課金処理することをさらに含んでもよい。
【００２３】
広告サービス方法は、有料広告リソースの実施による収益の一定の割合を広告アプリケーションモジュールの利用料金として算定するように課金処理することをさらに含んでもよい。
【００２４】
本発明のさらに他の実施例によると、少なくとも一つのコンピュータ構成要素を介して実行可能であり、通信網を利用した広告サービスシステムの広告サービスを行うためのプログラム命令語を含むコンピュータプログラムを記録したコンピュータ読み取り可能な記録媒体であって、前記実行により、ユーザ登録されたパブリッシャのオンライン接続を許容し、当該パブリッシャが広告アプリケーションサービス提供モジュールを利用することにより自己の広告リソースに対する実施及び管理運営を行うことができるように広告アプリケーションサービスを提供し、広告アプリケーションサービス提供モジュールによって実施及び管理運営されるパブリッシャの広告リソースの少なくとも一部に対して、パブリッシャと広告主または広告代理店との間の取引を可能にする開放された取引サービスを提供し、広告アプリケーションサービス提供モジュールによって実施された広告リソースに対するレポートをパブリッシャ及び広告主または広告代理店に提供すること、を含む広告サービス方法を行うことができるようにするコンピュータ読み取り可能な記録媒体が提供される。
【発明の効果】
【００２５】
本発明によると、広告アプリケーションサービス提供モジュールは、ユーザ登録されたパブリッシャの接続及び広告アプリケーションサービスの利用を許容し、当該パブリッシャが自己の広告リソースに対する販売及び管理ができるようにする。
【００２６】
これにより、パブリッシャは、広告の管理に必要な様々な設備及びソフトウェアを購入せず、広告アプリケーションサービス提供モジュールを運営する広告サービスシステムを備える当該サービス会社に広告管理サービスを申し込むことによって広告を行うため、相対的に低いコストで簡単に広告収益を創出することができる。
【図面の簡単な説明】
【００２７】
【図１】本発明の一実施例に係る広告サービスシステムにおける開放された広告取引が実現される環境を例示した図である。
【図２】図１に示す本発明の一実施例に係る広告サービスシステムの構成を示すブロック図である。
【図３】本発明の一実施例に係る広告アプリケーションサービス提供モジュールの動作を説明するための図である。
【図４】本発明の一実施例に係る開放された取引サービス提供モジュールの動作を説明するための図である。
【図５】本発明の一実施例に係る開放された取引サービス提供モジュールの動作を説明するための図である。
【図６】本発明の一実施例に係る開放された取引サービス提供モジュールの動作を説明するための図である。
【発明を実施するための形態】
【００２８】
添付の図面及び以下の説明は、単に図示的な方法によって本発明の一実施例を説明するものに過ぎない。以下の説明から、ここに開示された構造及び方法に係る代替可能な他の実施例は、特許請求の範囲に記載された本発明の趣旨を逸脱することなく採用可能な代替案として認められることに留意すべきである。
【００２９】
以下の説明は、当業者が本発明を実施することができるように提供されるものであり、特定のアプリケーションのコンテキスト及びこれらの要求する条件の範囲内で提供される。従って、本発明に係る実施例における以下の記載は、例示的な説明を提供するものにすぎず、開示された正確な実施形態に本発明を限定するものではない。開示された実施例に対する多様な変形が可能であることは当業者において明白であり、以下で言及される一般原理が他の実施例及びアプリケーションに適用されてもよい。例えば、一連の動作がフローチャートを参照して説明された場合、動作の順序は、一つの動作の実行が他の動作の完了に左右されない限り、他の実施例では異なってもよい。また、独立的な動作は並列的に遂行されてもよい。説明に用いられる如何なる構成要素、動作、または命令も、明示されない限り、本発明において重要または根本的なものであると理解されてはならない。ここで用いられるように、単数の表現は一つ以上のアイテムを含むとみなされる。単一のアイテムが意図される場合、「一つ」または「一つ」と類似する言語が用いられる。従って、本発明は図示された実施例に限定されるものではなく、発明者の発明が記載された任意の特許可能な主題（ｓｕｂｊｅｃｔ  ｍａｔｔｅｒ）が含まれるものと判断される。
【００３０】
図１は本発明の一実施例に係る広告サービスシステムにおける開放された広告取引が実現される環境を例示した図である。
【００３１】
図１に示すように、本発明の全体システムは、通信網１００と、広告サービスシステム２００と、広告主端末機３００と、複数のユーザ端末機４００と、広告代理店端末機５００と、広告製作者端末機６００と、パブリッシャ端末機７００と、を含んで構成されてもよい。複数のユーザ端末機４００は、通信網１００を介して広告サービスシステム２００に接続して任意の質問語を入力することにより、質問語に対応する広告、例えばバナー広告に含まれる広告素材の提供を受けてもよい。しかし、本発明は、バナー広告に限定されず、オンラインを介して遂行される多様な広告に適切に変形されて適用されてもよい。
【００３２】
通信網１００は、図１に例示されたシステムと端末機との間の通信を支援するネットワークである。通信網１００を構成する基盤通信技術の構成は本発明の実施に本質的な影響を及ぼさない。
【００３３】
また、通信網１００は、有線及び無線などのようなその通信形態を問わず構成されてもよく、システムと端末機との間で情報交換を可能にする如何なる種類の通信技術に基づいて構成されてもよい。また、情報交換過程の信頼性及び保安に関する公知の多様な技術が、通信網１００に適用されてもよいことはいうまでもない。
【００３４】
広告主端末機３００は、広告主が広告サービスシステム２００に接続して通信できるようにする機能を含むデジタル機器を含んでもよい。このようなデジタル機器は、産業用サーバであってもよく、パソコンであってもよい。パソコンの例としては、デスクトップコンピュータ、ノート型パソコン、ワークステーション、ＰＤＡ、ウェブパッド、移動電話機などが挙げられる。上記例示の他にも、メモリ手段を備え、マイクロプロセッサを搭載して演算能力を備えたデジタル器機であれば、本発明における広告主端末機３００を構成するデジタル機器として採用されてもよい。
【００３５】
具体的には、広告主端末機３００は、広告主が広告サービスシステム２００に広告提供情報を入力できるようにしたり、広告提供に利用するための複数の広告イメージ／メッセージを選定できるようにしたり、広告に対するクリック情報が表示された広告レポート指標を確認できるようにするためのアプリケーションプログラムまたはプログラムモジュールを含んでもよい。このようなアプリケーションプログラムまたはプログラムモジュールは、広告サービスシステム２００から伝送されたものであってもよい。
【００３６】
一方、広告主端末機３００は、広告主が商品やサービスを提供するために運営するホームページ運営サーバに代替されてもよい。
【００３７】
広告主端末機３００は、広告サービスシステム２００と通信し、広告サービスシステム２００から提供される広告レポートを受信して表示してもよい。
【００３８】
ユーザ端末機４００は、ユーザが通信網１００を介して広告サービスシステム２００に接続して通信できるようにする機能を含むデジタル機器であり、デスクトップコンピュータ、ノート型パソコン、ワークステーション、ＰＤＡ、ウェブパッド、移動電話機などのように、メモリ手段を備え、マイクロプロセッサを搭載して演算能力を備えたデジタル器機であれば、本発明におけるユーザ端末機４００として採用されてもよい。また、ユーザ端末機４００には、コンテンツの提供を受けることができるようにするウェブブラウザ（図示せず）プログラムがさらに含まれてもよい。
【００３９】
広告代理店端末機５００は、広告代理店が広告サービスシステム２００に接続し、広告代理店事業のために通信できるようにする機能を含むデジタル機器を含んでもよい。このようなデジタル機器は、産業用サーバであってもよく、パソコンであってもよい。パソコンの例としては、デスクトップコンピュータ、ノート型パソコン、ワークステーション、ＰＤＡ、ウェブパッド、移動電話機などが挙げられる。上記の例示の他にも、メモリ手段を備え、マイクロプロセッサを搭載して演算能力を備えたデジタル器機であれば、本発明における広告代理店端末機５００を構成するデジタル機器として採用されてもよい。
【００４０】
一方、広告代理店端末機５００は、広告代理店が広告代理店事業を行うために運営するホームページ運営サーバに代替されてもよい。
【００４１】
広告製作者端末機６００は、広告製作者が広告サービスシステム２００に接続し、広告製作事業のために通信できるようにする機能を含むデジタル機器を含んでもよい。このようなデジタル機器は、産業用サーバであってもよく、パソコンであってもよい。パソコンの例としては、デスクトップコンピュータ、ノート型パソコン、ワークステーション、ＰＤＡ、ウェブパッド、移動電話機などが挙げられる。上記の例の他にも、メモリ手段を備え、マイクロプロセッサを搭載して演算能力を備えたデジタル器機であれば、本発明における広告製作者端末機６００を構成するデジタル機器として採用されてもよい。
【００４２】
一方、広告製作者端末機６００は、広告製作者が広告製作事業を行うために運営するホームページ運営サーバに代替されてもよい。
【００４３】
パブリッシャ端末機７００は、パブリッシャが広告サービスシステム２００に接続して通信できるようにする機能を含むデジタル機器を含んでもよい。このようなデジタル機器は、産業用サーバであってもよく、パソコンであってもよい。パソコンの例としては、デスクトップコンピュータ、ノート型パソコン、ワークステーション、ＰＤＡ、ウェブパッド、移動電話機などが挙げられる。上記の例の他にも、メモリ手段を備え、マイクロプロセッサを搭載して演算能力を備えたデジタル器機であれば、本発明によるパブリッシャ端末機７００を構成するデジタル機器として採用されてもよい。
【００４４】
パブリッシャ端末機７００は、パブリッシャが広告サービスシステム２００に接続し、広告サービスシステム２００から提供される広告アプリケーションサービスを利用することにより、自己の広告リソースに対する広告実施及び管理運営を行うことができるようにする。
【００４５】
また、パブリッシャ端末機７００は、パブリッシャが広告サービスシステム２００に接続し、広告サービスシステム２００から提供される開放された取引サービスを利用することにより、パブリッシャの広告リソースの少なくとも一部に対して、広告主または広告代理店の間に取引ができるようにする。
【００４６】
また、パブリッシャ端末機７００は、広告サービスシステム２００から広告が実施された広告リソースに対するレポートを受信し、パブリッシャに提供してもよい。
【００４７】
一方、パブリッシャ端末機７００は、パブリッシャがオンラインコンテンツ、サービス、その他の広告リソースを提供するために運営するサイト運営サーバに代替されてもよい。
【００４８】
これにより、パブリッシャ端末機７００は、ユーザ端末機４００がパブリッシャ端末機７００によって運営されるあるサイトを訪問して質問語を入力する場合、ユーザ端末機４００に提供される検索結果ページに当該質問語に関する、例えばバナー広告を提供してもよい。このようなバナー広告は、広告サービスシステム２００によって検索結果ページの一部領域に提供されてもよいが、必ずしもこれに限定されるものではなく、検索結果ページの構成に関する全ての機能が広告サービスシステム２００によってサポートされなければならないわけではない。
【００４９】
ユーザ端末機４００の質問語に対する応答として検索結果ページを提供するシステムは、広告サービスシステム２００とは別に構成された検索エンジンシステムであってもよい。
【００５０】
広告サービスシステム２００は、このような検索エンジンシステムを利用して広告提供要求の伝達を受け、ユーザ端末機４００で入力された質問語に関するバナー広告を検索結果ページの予め決まった位置に含まれる形態で提供してもよい。
【００５１】
広告サービスシステム２００は、通信網１００を介して、広告主端末機３００、ユーザ端末機４００、広告代理店端末機５００、広告製作者端末機６００、パブリッシャ端末機７００と通信する。尚、広告サービスシステム２００は、広告主端末機３００、広告代理店端末機５００の要求に応じて、パブリッシャにより管理される広告リソース（オンライン広告領域）または広告サービスシステム２００により自律的に管理される広告リソース（オンライン広告領域）に広告を登録して掲載する。また、広告サービスシステム２００は、ユーザの選択に応じてユーザ端末機４００に広告が提供されると、これに応じて、広告主、広告代理店、パブリッシャに対して課金を行ってもよい。広告サービスシステム２００は、検索広告、ディスプレイ広告などを実施するインターネットポータルサイトの運営サーバに含まれてもよい。
【００５２】
広告サービスシステム２００は、パブリッシャ端末機７００を介して接続されたパブリッシャに広告アプリケーションサービス提供モジュールの利用を許容することにより、当該パブリッシャが自己の広告リソースに対する広告の実施及び管理運営を行うことができるようにする。
【００５３】
広告サービスシステム２００は、パブリッシャが広告アプリケーションサービス提供モジュールを利用することにより、無料広告リソースまたは有料広告リソースの広告を実施できるようにしてもよい。
【００５４】
広告サービスシステム２００は、パブリッシャが広告アプリケーションサービス提供モジュールを利用する際、有料広告リソースの広告実施の割合が一定の割合以上である場合、パブリッシャに対して広告アプリケーションサービス提供モジュールの無料利用を許容してもよい。
【００５５】
広告サービスシステム２００は、広告アプリケーションサービス提供モジュールを利用するパブリッシャに対して、有料広告リソースの広告実施による収益の一定の割合を広告アプリケーションモジュールの利用料金として算定してもよい。
【００５６】
また、広告サービスシステム２００は、広告アプリケーションサービス提供モジュールを利用することにより広告実施及び管理運営されるパブリッシャの広告リソースのうち少なくとも一部に対して、パブリッシャと広告主または広告代理店との間の取引を可能にしてもよい。さらに、広告サービスシステム２００は、広告主または広告代理店に対して、パブリッシャの広告リソースでなく、広告サービスシステム２００によって自律的に広告の実施及び管理運営がなされる広告リソースの取引を行ってもよい。
【００５７】
広告サービスシステム２００は、広告主または広告代理店に対して、パブリッシャの広告リソースのうちパブリッシャから広告実施及び管理運営の委託を受けた広告リソースの取引を行ってもよい。
【００５８】
図２は、図１に示された本発明の一実施例における広告サービスシステムの構成を示すブロック図である。
【００５９】
図２を参照すると、本発明の一実施例における広告サービスシステム２００は、検索エンジンモジュール２１０と、広告アプリケーションサービス提供モジュール２２０と、開放された取引サービス提供モジュール２３０と、広告提供モジュール２４０と、広告レポートモジュール２５０と、課金処理モジュール２６０と、制御モジュール２７０と、データベース２８０と、通信モジュール２９０と、を含んで構成されてもよい。
【００６０】
ここでは、広告サービスシステム２００を構成する各構成要素が一つの装置内に実現されているものが図示されているが、本発明はこれに限定されず、各構成要素が互いに分離されたシステムに実現され、互いに通信することにより目的とするデータ処理を行うものでもよい。
【００６１】
本発明の一実施例によると、検索エンジンモジュール２１０、広告アプリケーションサービス提供モジュール２２０、開放された取引サービス提供モジュール２３０、広告提供モジュール２４０、広告レポートモジュール２５０、課金処理モジュール２６０、制御モジュール２７０、データベース２８０、及び通信モジュール２９０は、そのうち少なくとも一部が広告主端末機３００、ユーザ端末機４００、広告代理店端末機５００、広告製作者端末機６００、及び／またはパブリッシャ端末機７００と通信するプログラムモジュール及び／またはそのプログラムモジュールを実行する物理的装置と称するものに理解されてもよい。このようなプログラムモジュールは、運営システム、応用プログラムモジュール及びその他のプログラムモジュールの形態で広告サービスシステム２００に含まれてもよく、物理的には様々な公知の記憶装置上に保存されてもよい。また、このようなプログラムモジュールは、広告サービスシステム２００と通信可能な遠隔記憶装置に保存されてもよい。一方、このようなプログラムモジュールは、本発明によって後述する特定業務を行ったり、特定の抽象データ型を実行したりするルーチン、サブルーチン、プログラム、オブジェクト、コンポーネント、データ構造などを包括するが、これに限定されない。
【００６２】
本発明の一実施例における検索エンジンモジュール２１０は、通信ネットワークを介して連結された遠隔コンピュータに保存されているウェブ文書（本明細書において「ウェブ文書」とは、テキスト、イメージ、動画、オーディオなどのデータ及びこれらのうち少なくとも二つの組み合わせにより構成されるデジタルデータを総称する。）をクローリング（ｃｒａｗｌｉｎｇ）し、クローリングされたウェブ文書に関する情報をデータベース２８０に保存した後、ユーザ端末機４００の要求に応じてウェブ文書をユーザに提供する機能を遂行してもよい。
【００６３】
広告アプリケーションサービス提供モジュール２２０は、ユーザ登録されたパブリッシャの接続及び広告アプリケーションサービスの利用を許容し、広告アプリケーションサービス提供モジュール２２０を介して提供された広告アプリケーションサービスを利用して、当該パブリッシャが自己の広告リソースに対する販売及び管理を行うことができるようにする。
【００６４】
広告アプリケーションサービス提供モジュール２２０は、広告の管理のためのＡＳＰ（Ａｐｐｌｉｃａｔｉｏｎ  Ｓｅｒｖｉｃｅ  Ｐｒｏｖｉｄｅｒ）であるといえる。一般的にＡＳＰは、ハードウェア、ソフトウェアなどの必要なプログラム及びシステムを購入せず、貸与によりＩＴ環境を構築する事業分野及びサービスに適用される。
【００６５】
従って、広告アプリケーションサービス提供モジュール２２０は、パブリッシャが広告を管理するために必要とする様々な設備及びソフトウェアを購入せず、広告アプリケーションサービス提供モジュールを運営する当該サービス会社に広告管理サービスを申し込むことにより広告を行うサービスであり、相対的にコストが安価であり、容易に分析を始めることができるという長所がある。
【００６６】
広告アプリケーションサービス提供モジュール２２０は、ユーザ登録されたパブリッシャのオンライン接続を許容し、当該パブリッシャが自己の広告リソースに対する広告の実施及び管理運営を行うことができるように、広告アプリケーションサービスを提供する。
【００６７】
広告アプリケーションサービス提供モジュール２２０は、無料広告リソースまたは有料広告リソースの広告実施ができるように構成されてもよい。
【００６８】
広告アプリケーションサービス提供モジュール２２０は、有料広告リソースの広告実施の割合が一定の割合以上である場合、パブリッシャに対して広告アプリケーションサービス提供モジュールの無料利用を許容するように構成されてもよい。
【００６９】
広告アプリケーションサービス提供モジュール２２０は、有料広告リソースの広告実施による収益の一定の割合を、広告アプリケーションモジュールの利用料金として算定するように構成されてもよい。
【００７０】
開放された取引サービス提供モジュール２３０は、広告アプリケーションサービス提供モジュール２２０によって広告の実施及び管理運営されるパブリッシャの広告リソースのうち少なくとも一部に対して、パブリッシャと広告主または広告代理店の間の取引を可能にする開放された取引サービスを提供する。この際、開放された取引サービス提供モジュール２３０は、オークションの概念に基づいて、パブリッシャの広告リソースの少なくとも一部に対して、パブリッシャと広告主または広告代理店との間の取引を可能にする開放された取引サービスを提供してもよい。
【００７１】
開放された取引サービス提供モジュール２３０は、広告主または広告代理店に対して、パブリッシャの広告リソースでなく、開放された取引サービス提供モジュールによって自律的に広告の実施及び管理運営される広告リソースの取引を行ってもよい。この際、開放された取引サービス提供モジュール２３０は、オークションの概念に基づいて、当該広告リソースに対するパブリッシャと広告主または広告代理店との間の取引を可能にする開放された取引サービスを提供してもよい。
【００７２】
開放された取引サービス提供モジュール２３０は、広告主または広告代理店に対して、パブリッシャの広告リソースのうちパブリッシャから広告の実施及び管理運営が委託された広告リソースの取引を行ってもよい。この際、開放された取引サービス提供モジュール２３０は、オークションの概念に基づいて、当該広告リソースに対するパブリッシャと広告主または広告代理店との間の取引を可能にする開放された取引サービスを提供してもよい。
【００７３】
広告提供モジュール２４０は、ユーザ端末機４００に広告を提供する機能を遂行してもよい。即ち、ユーザ端末機４００のユーザが広告サービスシステム２００によって運営される運営サイトを介して質問語を入力すると、当該質問語に該当する広告イメージ／メッセージ／広告イメージ及びメッセージをバナー広告の形態で検索結果ページに掲載し、これをユーザに提供してもよい。この際、広告提供モジュール２４０は、各質問語にマッチする広告主の広告提供情報を保存しているデータベース２８０を参照してもよい。
【００７４】
広告提供モジュール２４０は、ユーザ端末機４００に広告を提供するに先立って、広告主端末機３００から広告提供情報の入力を受けてもよい。広告提供情報は、当該広告に関する広告素材、ユーザに提供される広告のタイトル及び説明情報（Ｔ＆Ｄ、Ｔｉｔｌｅ  ａｎｄ  Ｄｅｓｃｒｉｐｔｉｏｎ）などを含み、広告提供情報はデータベース２８０に保存されてもよい。広告素材は、広告主の広告イメージ、メッセージ、フラッシュ及びこれらの組み合わせを含んでもよい。
【００７５】
広告提供モジュール２４０は、検索結果に対する応答だけでなく、バナー広告のような形態の広告を提供してもよい。また、上述したように、別のパブリッシングシステムが広告の提供に関与する場合、広告提供モジュール２４０がユーザ端末機４００に提供される全てのコンテンツを構成する必要はなく、検索結果の一部として提供される広告リスティングに対する制御機能のみを遂行してもよい。
【００７６】
より詳しくは、広告提供モジュール２４０は、広告主端末機３００を介して入力された広告提供情報に応じて、ユーザ端末機４００にオンライン広告を提供してもよい。本実施例におけるオンライン広告は、複数の広告素材を含む、例えばバナー広告であってもよい。バナー広告は、複数の広告素材が予め決められた露出の割合に応じて露出され構成されてもよい。この際、露出の割合は、位置的な露出の割合であってもよく、時間的な露出の割合であってもよく、位置及び時間的な露出の割合であってもよい。
【００７７】
バナー広告のようなオンライン広告は、多様な特徴を有するものでもよい。その特徴は、アプリケーション及び／または広告主によって特定されてもよい。この特徴を、以下「広告特徴」（ａｄ  ｆｅａｔｕｒｅｓ）という。例えば、バナー広告の場合の広告特徴は、イメージ、実行コード、及び挿入されたリンクを含んでもよい。オンライン広告の類型によって、広告特徴は、テキスト、リンク、オーディオファイル、ビデオファイル、イメージファイル、実行コード、挿入された情報などの一つ以上を含んでもよい。
【００７８】
広告提供モジュール２４０は、広告登録の機能を有してもよい。広告提供モジュール２４０は、広告主端末機３００の要求に応じて、広告主が指定及び／または選択したテキスト、イメージ、動画、オーディオなどのデータ及びこれらのうち少なくとも二つの組み合わせによって構成される広告を、データベース２８０に広告データとして保存する機能を遂行してもよい。また、広告提供モジュール２４０は、広告の登録のために、公知のオンライン広告入札ツール（ｔｏｏｌ）のような所定のインターフェースを広告主端末機３００に提供してもよい。一般的なキーワード検索広告において、広告主による入札をサポートする機能は広告提供モジュール２４０によって提供されてもよい。広告提供モジュール２４０は必要な範囲でデータベース２８０との通信により、広告主の広告登録に関する情報を保存してもよい。
【００７９】
また、広告提供モジュール２４０は、バナー広告を構成している各広告素材に対するクリック情報を分析し、分析されたデータをデータベース２８０に蓄積してもよい。データベース２８０に蓄積されたこのようなデータは各広告素材に対するユーザの好みを反映しているため、広告提供モジュール２４０は、データベース２８０に蓄積された各広告素材に対するクリック情報の分析結果に基づいて、広告素材毎に広告性能又は広告効果を評価することができる。広告提供モジュール２４０によって算出された広告素材評価情報は、広告効果の改善のために広告素材調節過程に利用されてもよい。また、広告提供モジュール２４０によって算出された広告素材評価情報は、当該バナー広告を構成する各広告素材の広告性能又は広告効果を広告主に報告したり、バナー広告の改善を提案するサービスを行う広告レポートモジュール２５０で利用されたりしてもよい。
【００８０】
広告レポートモジュール２５０は、広告アプリケーションサービス提供モジュール２２０によって広告が実施された広告リソースに対するレポートをパブリッシャ及び広告主または広告代理店に提供する。
【００８１】
例えば、広告レポートモジュール２５０は、広告アプリケーションサービス提供モジュール２２０または開放された取引サービス提供モジュール２３０によって広告が実施された広告リソースに対する広告レポートをパブリッシャに提供してもよい。
【００８２】
また、広告レポートモジュール２５０は、広告アプリケーションサービス提供モジュール２２０の要求に応じて、開放された取引サービス提供モジュール２３０によって取引されたパブリッシャの広告リソースに対する取引レポートをパブリッシャに提供してもよい。
【００８３】
尚、広告レポートモジュール２５０は、開放された取引サービス提供モジュール２３０に広告実施及び管理が委託されたパブリッシャの広告リソースに対して、開放された取引サービス提供モジュール２３０により取引がなされた取引レポートをパブリッシャに提供してもよい。
【００８４】
広告レポートモジュール２５０は、パブリッシャの広告リソースのうち当該広告リソースが属している位置による広告性能又は広告効果、広告リソースの位置調節、新たに調節された広告リソースに実施されたバナー広告、広告リソースの位置が調節される前と調節された後の広告性能の改善効果を含む広告リソースレポートを作成してパブリッシャに提供してもよい。
【００８５】
従って、パブリッシャは、パブリッシャ端末機７００を介して広告リソースレポートを受信し、受信された広告リソースレポートを参照して、後に広告リソースを配置する際、既に配置された広告位置毎のユーザの反応を容易に把握することができる。
【００８６】
同様に、広告主、広告代理店、広告製作者は、それぞれ広告主端末機３００、広告代理店端末機５００、及び／または広告製作者端末機６００を介して広告レポートモジュール２５０から当該レポートを受信し、受信されたレポートを後に広告サービスを行う際のフィードバック資料として利用してもよい。
【００８７】
広告レポートモジュール２５０は、当該バナー広告に含まれている複数の広告素材の広告性能又は広告効果、広告素材の調節、新たに調節された広告素材で構成されたバナー広告、広告素材が調節される前と調節された後の広告性能の改善効果を含む広告レポートを作成し、広告主端末機３００に提供してもよい。
【００８８】
従って、広告主は、広告主端末機３００を介して広告レポートを受信し、受信された広告レポートを参照して、後に広告を実施する際、既に実施された広告素材毎のユーザの反応を容易に把握することができる。同様に、広告代理店、広告製作者、パブリッシャは、それぞれ広告代理店端末機５００、広告製作者端末機６００、及び／またはパブリッシャ端末機７００を介して広告レポートを受信し、受信された広告レポートを参照して、後に広告を実施する際、既に実施された広告素材毎のユーザの反応を容易に把握してもよい。
【００８９】
広告レポートモジュール２５０は、広告主の広告実施結果に対するレポートの要求がある場合に広告レポートを提供したり、予め設定された週期（週単位、月単位、時間単位など）毎に広告レポートを提供してもよい。
【００９０】
また、広告レポートモジュール２５０は、各素材毎のユーザの反応に応じて、より高い広告効果を図ることができる広告素材の組み合わせに対する提案を含む将来に実施される広告のためのコメントを作成して、広告主にさらに提供してもよい。
【００９１】
従って、広告主は、広告レポートを参照して、当該バナー広告を構成している複数の広告素材のうち何の広告素材が露出された際にユーザのクリックが多く発生したかを容易に把握することができるため、将来に広告を実施する際、ユーザの興味を引く広告素材を積極的に反映して、効率的に広告を実施することができる。
【００９２】
尚、広告レポートモジュール２５０は、広告実施後または広告実施前に、広告主端末機３００に決済処理を要求したり、広告主の預託金などを利用して公知の課金処理を行ったりしてもよい。
【００９３】
課金処理モジュール２６０は、パブリッシャが自己の広告リソースに対する実施及び管理運営を行うことにより発生したトラフィック量に応じて、広告アプリケーションサービス提供モジュール２２０の利用料金を算定してもよい。
【００９４】
課金処理モジュール２６０は、広告アプリケーションサービス提供モジュール２２０によって行われる無料広告リソースまたは有料広告リソースの実施に応じて、異なる課金基準を適用してもよい。
【００９５】
例えば、課金処理モジュール２６０は、有料広告リソースの実施の割合が一定の割合以上（例えば、全体実施の割合の５０％以上）である場合、パブリッシャに対して広告アプリケーションサービス提供モジュールの無料利用を許容してもよい。
【００９６】
また、課金処理モジュール２６０は、パブリッシャに対して、有料広告リソースの実施による収益の一定の割合（例えば、収益の３０％）を広告アプリケーションモジュールの利用料金として算定してもよい。
【００９７】
これにより、パブリッシャは、自己が所有している広告リソースに対して、自己の広告を管理するための別の高価な設備を備えなくても、広告サービスシステム２００が提供する広告アプリケーションサービスを利用して広告リソースの活用に対する収益を創出することができる。尚、広告サービスシステム２００は、パブリッシャに広告アプリケーションサービス提供モジュールの利用を許容することにより、パブリッシャが所有している広告リソースを活用することにより収益を創出することができるようになる。
【００９８】
課金処理モジュール２６０は、ユーザ端末機４００に提供された広告情報がユーザによって特定される場合、当該広告情報を登録した広告主に所定の費用を課金する機能を遂行してもよい。例えば、課金処理モジュール２６０は、広告に対するクリックが発生する場合に課金が行われるＣＰＣ（Ｃｏｓｔ  Ｐｅｒ  Ｃｌｉｃｋ）方式、または販売額に応じて広告費の支払いが発生するように課金が行われるＣＰＳ（Ｃｏｓｔ  Ｐｅｒ  Ｓａｌｅ）方式が適用されてもよい。しかし、本発明はこれに限定されず、課金処理モジュール２６０は多様な課金方式によって課金を行ってもよい。広告主が入力した入札単価、広告主が入力した有効クリック数に関する情報、広告の品質指数、過去の広告実施情報などが広告課金総額を決定するために利用されてもよい。課金処理モジュール２６０は、このような課金総額を計算し、広告主の口座情報にこれをアップデートすることにより、実施された広告に対する課金を行ってもよい。
【００９９】
制御モジュール２７０は、検索エンジンモジュール２１０、広告アプリケーションサービス提供モジュール２２０、開放された取引サービス提供モジュール２３０、広告提供モジュール２４０、広告レポートモジュール２５０、課金処理モジュール２６０、データベース２８０、及び通信モジュール２９０の間のデータの流れを制御する機能を遂行してもよい。
【０１００】
即ち、本発明における制御モジュール２７０は、外部からの、または広告サービスシステム２００の各構成要素の間のデータの流れを制御することにより、検索エンジンモジュール２１０、広告アプリケーションサービス提供モジュール２２０、開放された取引サービス提供モジュール２３０、広告提供モジュール２４０、広告レポートモジュール２５０、課金処理モジュール２６０、データベース２８０、及び通信モジュール２９０が、それぞれ固有の機能を遂行するように制御してもよい。
【０１０１】
通信モジュール２９０は、広告サービスシステム２００によって実施された広告リソースに対するレポートを、パブリッシャ、広告主、広告製作者または広告代理店に提供するために、パブリッシャ端末機７００、広告主端末機３００、広告製作者端末機６００、広告代理店端末機５００に伝送する機能を遂行してもよい。
【０１０２】
図３は本発明の一実施例における広告アプリケーションサービス提供モジュールの動作を説明するための図である。
【０１０３】
図３を参照すると、任意のパブリッシャがパブリッシャ端末機７００を介して広告サービスシステム２００に接続する場合、広告アプリケーションサービス提供モジュール２２０は広告アプリケーションサービスを駆動させる（Ｓ１１）。次に、広告アプリケーションサービス提供モジュール２２０は、広告の実施及び管理のためにユーザのＩＤ及びパスワードの入力を受けるための初期画面を提供する（Ｓ１２）。広告アプリケーションサービス提供モジュール２２０は、入力されたユーザのＩＤ及びパスワードの認証を行った後、データベース２８０から当該パブリッシャに関する広告リソース情報を呼び出し、当該パブリッシャの広告の実施及び管理のための画面に提供する（Ｓ１３）。広告アプリケーションサービス提供モジュール２２０は、パブリッシャの入力事項に応じて、パブリッシャの広告リソースに対する広告の実施及び管理のための作業を行う（Ｓ１４）。例えば、広告アプリケーションサービス提供モジュール２２０は、パブリッシャから無料広告リソースまたは有料広告リソースの広告の実施に関する選択情報の入力を受けてもよい。例えば、広告アプリケーションサービス提供モジュール２２０は、パブリッシャから当該パブリッシャによって広告の実施及び管理されている広告リソースのリスト及び広告の実施状況を要求する入力を受けてもよい。例えば、広告アプリケーションサービス提供モジュール２２０は、パブリッシャによって提供される広告リソースのうち、広告サービスシステム２００に広告の実施及び管理に対する委託を要求する入力を受けてもよい。
【０１０４】
広告アプリケーションサービス提供モジュール２２０は、パブリッシャの広告リソースに対する広告実施及び管理のための作業を行った後、作業内容が反映された新しい画面をパブリッシャに提供する（Ｓ１５）。例えば、広告アプリケーションサービス提供モジュール２２０は、パブリッシャの入力事項に応じて、無料広告リソースまたは有料広告リソースの広告実施の有無を設定し、当該結果を画面に提供してもよい。例えば、広告アプリケーションサービス提供モジュール２２０は、当該パブリッシャによって広告の実施及び管理がなされている広告リソースのリスト及び広告の実施状況を検索し、画面を介して提供してもよい。例えば、広告アプリケーションサービス提供モジュール２２０は、パブリッシャからの広告の実施及び管理に対する委託の要求に応じて、開放された取引サービス提供モジュール２３０に当該広告リソースに対する広告の実施及び管理の委託を要求してもよい。
【０１０５】
尚、広告アプリケーションサービス提供モジュール２２０は、新たに行われた作業内容に基づいて、データベース２８０で当該パブリッシャに関する広告リソース情報をアップデートする（Ｓ１６）。
【０１０６】
この際、広告アプリケーションサービス提供モジュール２２０によってデータベース２８０から検索されて画面に提供される情報は、その所有権及び管理が全て当該パブリッシャにある広告リソースに関する情報である。
【０１０７】
図４は本発明の一実施例における開放された取引サービス提供モジュールの動作を説明するための図である。
【０１０８】
図４を参照すると、開放された取引サービス提供モジュール２３０は、広告アプリケーションサービス提供モジュール２２０からパブリッシャの広告リソースの広告条件及び広告リソース販売の要求を受信する（Ｓ２１）。
【０１０９】
これにより、開放された取引サービス提供モジュール２３０は、広告主または広告代理店によって閲覧される広告リソース販売の画面に、当該広告リソースの広告条件を掲載する（Ｓ２２）。
【０１１０】
開放された取引サービス提供モジュール２３０は、任意の広告主または広告代理店から、掲載された広告リソースに対する購入の要求を受信する（Ｓ２３）。
【０１１１】
開放された取引サービス提供モジュール２３０は、広告主または広告代理店からの購入の要求を、広告アプリケーションサービス提供モジュール２２０に伝送する（Ｓ２４）。広告アプリケーションサービス提供モジュール２２０に伝送された購入の要求は、広告アプリケーションサービス提供モジュール２２０によりパブリッシャに提供される画面に表示されてもよい。
【０１１２】
開放された取引サービス提供モジュール２３０は、広告アプリケーションサービス提供モジュール２２０からパブリッシャの広告の販売承諾を受信し、当該広告リソースに対する取引を完了する（Ｓ２５）。
【０１１３】
尚、広告アプリケーションサービス提供モジュール２２０は、取引完了結果に基づいて、データベース２８０で当該パブリッシャに関する広告リソース情報をアップデートする（Ｓ２６）。
【０１１４】
図５は本発明の一実施例における開放された取引サービス提供モジュールの動作を説明するための図である。
【０１１５】
図５を参照すると、開放された取引サービス提供モジュール２３０は、パブリッシャの広告リソースでない場合、自律的に広告の実施及び管理運営される広告リソースの登録を受ける（Ｓ３１）。
【０１１６】
開放された取引サービス提供モジュール２３０は、予め設定された広告条件に基づいて、当該広告リソースの広告条件を設定する（Ｓ３２）。
【０１１７】
開放された取引サービス提供モジュール２３０は、パブリッシャの広告リソースでない場合、広告主または広告代理店によって閲覧される広告リソース販売の画面に、自律的に広告の実施及び管理運営される広告リソースの広告条件を掲載する（Ｓ３３）。
【０１１８】
開放された取引サービス提供モジュール２３０は、任意の広告主または広告代理店から、掲載された広告リソースに対する購入の要求を受信する（Ｓ３４）。
【０１１９】
開放された取引サービス提供モジュール２３０は、広告主または広告代理店からの購入の要求を承諾し、当該広告リソースに対する取引を完了する（Ｓ３５）。
【０１２０】
尚、広告アプリケーションサービス提供モジュール２２０は、取引完了結果に基づいて、データベース２８０で当該パブリッシャに関する広告リソース情報をアップデートする（Ｓ３６）。
【０１２１】
図６は本発明の一実施例における開放された取引サービス提供モジュールの動作を説明するための図である。
【０１２２】
図６を参照すると、開放された取引サービス提供モジュール２３０は、広告アプリケーションサービス提供モジュール２２０から、パブリッシャの広告リソースに対する広告実施及び管理運営の委託を受信する（Ｓ４１）。
【０１２３】
開放された取引サービス提供モジュール２３０は、委託された広告リソースに対する広告条件を設定する（Ｓ４２）。ここで、広告条件とは、販売条件であるといえる。
【０１２４】
開放された取引サービス提供モジュール２３０は、広告主または広告代理店によって閲覧される広告リソース販売の画面に、当該広告リソースの広告条件を掲載する（Ｓ４３）。
【０１２５】
開放された取引サービス提供モジュール２３０は、任意の広告主または広告代理店から、掲載された広告リソースに対する購入の要求を受信する（Ｓ４４）。
【０１２６】
開放された取引サービス提供モジュール２３０は、広告主または広告代理店からの購入の要求を承諾し、当該広告リソースに対する取引を完了する（Ｓ４５）。
【０１２７】
開放された取引サービス提供モジュール２３０は、取引完了の結果を広告アプリケーションサービス提供モジュール２２０に伝送する（Ｓ４６）。広告アプリケーションサービス提供モジュール２２０に伝送された取引完了の結果は、広告アプリケーションサービス提供モジュール２２０によりパブリッシャに提供される画面に表示されてもよい。
【０１２８】
本発明の一実施例は、多様なコンピュータで実現される動作を行うためのプログラム命令を含むコンピュータ読み取り可能な記録媒体を含む。コンピュータ読み取り可能な記録媒体は、プログラム命令、ローカルデータファイル、ローカルデータ構造などを単独に、または組み合わせて含むことができる。前記媒体は、本発明のために特別に設計及び構成されたものであってもよく、コンピュータソフトウェア分野の当業者に公知であって使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤなどのような光記録媒体、フロプティカルディスクのような磁気−光媒体及びＲＯＭ、ＲＡＭ、フラッシュメモリなどのような、プログラム命令を保存及び実行するように特別に構成されたハードウェア装置が含まれる。前記媒体は、プログラム命令、ローカルデータ構造などを指定する信号を伝送する搬送波を含む光または金属線、導波管などの伝送媒体であってもよい
【０１２９】
プログラム命令の例としては、コンパイラによって作られるもののような機械語コードだけでなく、インタプリタなどを用いてコンピュータによって実行されることができる高級言語コードを含む。
【０１３０】
以上、本発明における具体的な実施例について説明したが、本発明の範囲を逸脱しない限度内の様々な変形が可能であることは勿論である。従って、本発明の範囲は上述の実施例に限定されてはならず、添付の特許請求の範囲の記載だけでなく、この特許請求の範囲の記載と均等なものなどによって決まるべきである。
【０１３１】
本発明の一実施例ではバナー広告について説明したが、本発明はこれに限定されず、サイバー空間上でなされる多様な形態のオンライン広告、例えば検索広告、文脈広告などを含む。
【符号の説明】
【０１３２】
１００  通信網
２００  広告サービスシステム
２１０  検索エンジンモジュール
２２０  広告アプリケーションサービス提供モジュール
２３０  開放された取引サービス提供モジュール
２４０  広告提供モジュール
２５０  広告レポートモジュール
２６０  課金処理モジュール
２７０  制御モジュール
２８０  データベース
２９０  通信モジュール
３００  広告主端末機
４００  ユーザ端末機
５００  広告代理店端末機
６００  広告製作者端末機
７００  パブリッシャ端末機
【図２】
2012079310.tif 000003
【図３】
2012079310.tif 000004
【図４】
2012079310.tif 000005
【図５】
2012079310.tif 000006
【図６】
2012079310.tif 000007
【図１】
2012079310.tif 000008